(57)【要約】【課題】紙面等に転写された各種転写膜を紙面等を損傷したり汚したりすることなく摩擦除去する転写膜除去材を備えた転写具を提供する。【解決手段】転写テープ３上の塗膜等の転写膜を紙面等に転写するための転写具４１のケース２の一部に、紙面等に転写された転写膜を摩擦除去する転写膜除去材４５が設けられている。転写具４１に常備された専用の転写膜除去材４５により、被転写部上に転写された転写膜を摩擦除去することができ、落下等して遺失してしまう危険も少ない。【選択図】図５
2010076455.tif 000002
【特許請求の範囲】
【請求項１】
転写テープ上の塗膜や転写マーク等の転写膜を紙面等に転写するための転写具であって、
少なくとも、片手による手持ち操作可能なケースと、このケース内に回転可能に装着されて、転写テープを繰り出し可能に巻装した繰出リールと、前記ケースの先端部分に配設されて、前記繰出リールから繰り出される転写テープを被転写部上に加圧転写する転写ヘッドとを備えてなり、
前記ケースの一部に、紙面等に転写された転写膜を摩擦除去する転写膜除去材が設けられている
ことを特徴とする転写具。
【請求項２】
片手による手持ち操作可能な前記ケースと、
このケース内に回転可能に装着されて、転写テープを繰り出し可能に巻装した前記繰出リールと、
前記ケース内に回転可能に装着されて、使用後の転写テープを巻き取り回収する巻取リールと、
この巻取リールおよび前記操出リールを相互に連動回転させる連動機構と、
前記ケースの先端部分に配設されて、前記繰出リールから繰り出される転写テープを被転写部上に加圧転写する前記転写ヘッドと、
前記繰出リールおよび巻取リールにおける転写テープの繰出速度および巻取速度を同期させるクラッチ機構とを備えてなり、
前記ケースの一部に、紙面等に転写された転写膜を摩擦除去する前記転写膜除去材が設けられている
ことを特徴とする請求項１に記載の転写具。
【請求項３】
前記転写膜除去材が設けられるケースの部位は、この転写膜除去材を紙面等に転写された転写膜に押し当てて摩擦除去するに際して、人間工学的に前記ケースを手持ち操作可能な位置に設定されている
ことを特徴とする請求項１または２に記載の転写具。
【請求項４】
前記転写膜除去材が、前記ケースの先端部から突設された前記転写ヘッドに一体的に設けられている
ことを特徴とする請求項１から３のいずれか一つに記載の転写具。
【請求項５】
前記転写膜除去材が、前記転写ヘッドの構成材料からなるとともに、転写ヘッドと一体成形されている
ことを特徴とする請求項４に記載の転写具。
【請求項６】
前記転写膜除去材が、前記ケースの先端部表面に一体的に設けられている
ことを特徴とする請求項１から３のいずれか一つに記載の転写具。
【請求項７】
前記転写膜除去材が、前記ケースの外部に臨んで設けられた転写テープを巻き戻すための巻戻しボタンの形態とされている
ことを特徴とする請求項１から３のいずれか一つに記載の転写具。
【請求項８】
前記転写膜除去材が、前記ケースの一部を構成するケース構成部材の形態とされている
ことを特徴とする請求項１から３のいずれか一つに記載の転写具。
【請求項９】
前記ケース構成部材が、前記ケースに対して取外し可能とされている
ことを特徴とする請求項８に記載の転写具。
【請求項１０】
前記ケース構成部材が、前記ケースに一体的に固設されている
ことを特徴とする請求項８に記載の転写具。
【請求項１１】
前記転写膜除去材が、前記ケースの表面に貼着される転写膜除去シールの形態とされている
ことを特徴とする請求項１から３のいずれか一つに記載の転写具。
【請求項１２】
前記転写ヘッドを被覆保護する保護キャップを備えるとともに、前記ケースの一部に前記保護キャップを着脱可能に保持するキャップ保持部が配設されてなり、
このキャップ保持部が前記転写膜除去材で構成されている
ことを特徴とする請求項１から３のいずれか一つに記載の転写具。
【請求項１３】
前記転写膜除去材が、前記転写ヘッドを被覆保護する保護キャップの形態とされている
ことを特徴とする請求項１または２に記載の転写具。
【請求項１４】
前記ケースの一部に、前記転写膜除去材が着脱可能に設けられている
ことを特徴とする請求項１または２に記載の転写具。
【請求項１５】
前記転写膜除去材は、板状の直線定規の形態とされている
ことを特徴とする請求項１４に記載の転写具。
【請求項１６】
前記転写膜除去材は、板状の保持クリップの形態とされている
ことを特徴とする請求項１４に記載の転写具。
【請求項１７】
前記転写膜除去材は、前記ケースを起立保持するケーススタンドの形態とされている
ことを特徴とする請求項１４に記載の転写具。
【請求項１８】
前記転写膜除去材は、その一部に前記転写膜の細部を摩擦除去可能な形状寸法の角部を有する外観形状を備えている
ことを特徴とする請求項１から１７のいずれか一つに記載の転写具。
【請求項１９】
前記転写膜除去材は、紙面等に転写された転写膜を摩擦除去するに際して磨耗の少ない材料から構成されている
ことを特徴とする請求項１から１８のいずれか一つに記載の転写具。
【請求項２０】
前記転写膜除去材は、少なくとも転写具の寿命に対して実質的に摩耗のない材料から構成されている
ことを特徴とする請求項１９に記載の転写具。
【請求項２１】
前記転写膜除去材は、１回の摩擦除去操作が紙面等に転写された前記転写膜に対して１０往復としたとき、少なくとも２００回の摩擦除去操作に対して実質的に摩耗のない材料から構成されている
ことを特徴とする請求項２０に記載の転写具。
【請求項２２】
前記転写膜除去材は、少なくとも転写具の寿命に対して実質的に表面性状に変化のない材料から構成されている
ことを特徴とする請求項１９に記載の転写具。
【請求項２３】
前記転写膜除去材は、少なくとも、樹脂成分およびゴム成分のいずれかを含んでなる
ことを特徴とする請求項１９に記載の転写具。
【請求項２４】
前記樹脂成分が熱可塑性エラストマーであることを特徴とする請求項２３に記載の転写具。
【請求項２５】
前記熱可塑性エラストマーが、少なくとも、スチレン系熱可塑性エラストマーおよびオレフィン系エラストマーのいずれか１種を含む
ことを特徴とする請求項２４に記載の転写具。
【請求項２６】
前記スチレン系熱可塑性エラストマーが、少なくとも、スチレン―ブタジエン―スチレン共重合体、スチレン―イソプレン―スチレン共重合体、スチレン―エチレンブチレン―スチレン共重合体、スチレン―エチレンプロピレン―スチレン共重合体、スチレン―エチレンエチレンプロピレン―スチレン共重合体のいずれか一種を含む
ことを特徴とする請求項２５に記載の転写具。
【請求項２７】
前記オレフィン系エラストマーが、少なくとも、オレフィン系熱可塑性エラストマー、エチレン−αオレフィン共重合体、プロピレン−αオレフィン共重合体、エチレン−αオレフィン共重合体（メタロセン触媒）、非晶性ポリαオレフィン、高密度ポリエチレン、低密度ポリエチレン、超低密度ポリエチレンおよびポリプロピレンのいずれか一種を含む
ことを特徴とする請求項２５に記載の転写具。
【請求項２８】
前記ゴム成分が、少なくとも、ブチルゴム、イソプレンゴム、スチレン―ブタジエンゴム、ブタジエンゴム、エチレンプロピレンゴム、エチレンプロピレン三元共重合体、アクリルゴム、ポリイソプレンおよび天然ゴムのいずれか１種を含んでなる
ことを特徴とする請求項２３に記載の転写具。
【請求項２９】
前記ゴム成分がコア・シェル構造であることを特徴とする請求項２３に記載の転写具。
【請求項３０】
前記転写膜除去材は、樹脂成分およびゴム成分を含んでなり、
これら樹脂成分とゴム成分との重量比が２５：７５〜７５：２５の範囲に設定されている
ことを特徴とする請求項２３から２９のいずれか一つに記載の転写具。
【発明の詳細な説明】
【技術分野】
【０００１】
本発明は転写具に関し、さらに詳細には、転写テープ上に形成された塗膜や転写マーク等の転写膜を紙面等に転写するための転写具において、一旦紙面等に転写された転写膜を摩擦除去する転写膜除去技術に関する。
【背景技術】
【０００２】
この種の転写具は、一般に、転写ヘッドがケースの先端部の挿通開口から外部へ突出して設けられており、ケース内に装填された繰出リールから転写テープが繰り出されるとともに、上記転写ヘッドの先端加圧部を介して再びケース内の巻取リールに巻き取り回収される構造を備え、また、ケース内には、上記巻取リールと操出リールを相互に連動回転させる歯車機構等の連動機構や、上記繰出リールと巻取リールにおける転写テープの繰出速度と巻取速度を同期させるクラッチ機構も設けられている（例えば、特許文献１参照）。
【０００３】
そして、図１１に示すように、この転写具１のケース２を手指にて把持して、転写ヘッド４の先端加圧部４ａを紙面等の被転写部１１上に密着状に押し当てて、そのままケース２を被転写部１１の表面に沿って移動させて停止させる。これにより、ケース２内の繰出リール（図示省略）から繰出された転写テープ３上の転写膜１０が、上記転写ヘッド４により被転写部１１上に転写されるとともに、使用後の転写テープ３はケース２内の巻取リール（図示省略）に巻き取り回収される。
【０００４】
ところで、このような転写具１により被転写部１１上に一旦転写された転写膜１０を除去したい場合がある。
【０００５】
このような場合、従来は専用の除去材がなく、一般市販の消しゴム等の字消しやカッタナイフを用いているのが現状であるが、これらを転写具と常に持ち歩くことは不便であるとともに、落下等して遺失してしまう不便がある。
【０００６】
また、上記転写膜１０には、文字等を被覆隠蔽する修正塗膜、文字等を強調表示するマーカ塗膜、粘着剤として用いる粘着塗膜等の塗膜、あるいは、文字、符号または図形あるいはこれらの組み合わせ等の薄膜状の転写マークなどがあり、これら転写膜１０の構成材料も多種多様である。
【０００７】
これがため、従来一般の字消しで転写膜１０を擦ってみても、転写膜１０を容易に除去（摩擦除去）できなかったり、たとえ除去できても紙面等の被転写部１１の表面を損傷したり汚してしまうといった不具合があった。後者についてはカッタナイフについても該当する不具合である。
【特許文献１】特開平９−１０４５６２号公報
【発明の開示】
【発明が解決しようとする課題】
【０００８】
本発明はかかる従来の問題点に鑑みてなされたものであって、その目的とするところは、転写具により紙面等に一旦転写された各種転写膜を、紙面等を損傷したり汚したりすることなく、容易かつ確実に摩擦除去することができる転写膜除去材を備えた転写具を提供することにある。
【課題を解決するための手段】
【０００９】
この目的を達成するため、本発明の転写具は、転写テープ上の塗膜や転写マーク等の転写膜を紙面等に転写するための転写具であって、少なくとも、片手による手持ち操作可能なケースと、このケース内に回転可能に装着されて、転写テープを繰り出し可能に巻装した繰出リールと、上記ケースの先端部分に配設されて、上記繰出リールから繰り出される転写テープを被転写部上に加圧転写する転写ヘッドとを備えてなり、上記ケースの一部に、紙面等に転写された転写膜を摩擦除去する転写膜除去材が設けられていることを特徴とする。
【００１０】
好適な実施態様として、転写テープ上の塗膜や転写マーク等の転写膜を紙面等に転写するためのものであって、片手による手持ち操作可能な上記ケースと、このケース内に回転可能に装着されて、転写テープを繰り出し可能に巻装した上記繰出リールと、上記ケース内に回転可能に装着されて、使用後の転写テープを巻き取り回収する巻取リールと、この巻取リールおよび上記操出リールを相互に連動回転させる連動機構と、上記ケースの先端部分に配設されて、上記繰出リールから繰り出される転写テープを被転写部上に加圧転写する転写ヘッドと、上記繰出リールおよび巻取リールにおける転写テープの繰出速度および巻取速度を同期させるクラッチ機構とを備えてなり、上記ケースの一部に、紙面等に転写された転写膜を摩擦除去する上記転写膜除去材が設けられていることを特徴とする。
【００１１】
また、上記転写膜除去材が設けられるケースの部位は、この転写膜除去材を紙面等に転写された転写膜に押し当てて摩擦除去するに際して、人間工学的に上記ケースを手持ち操作可能な位置に設定されている。また、上記転写膜除去材は、その一部に上記転写膜の細部を摩擦除去可能な形状寸法の角部を有する外観形状を備えている。
【００１２】
上記転写膜除去材は、紙面等に転写された転写膜を摩擦除去するに際して、磨耗の少ない材料から構成されていることを特徴とし、具体的には、少なくとも転写具の寿命に対して実質的に摩耗のない材料、または少なくとも転写具の寿命に対して実質的に表面性状に変化のない材料から構成されている。
【００１３】
好適な実施態様として、上記転写膜除去材は、少なくとも、樹脂成分およびゴム成分のいずれかを含んでなる。
【００１４】
上記樹脂成分としては、熱可塑性エラストマーが好適に使用され、この熱可塑性エラストマーには、少なくとも、スチレン系熱可塑性エラストマーおよびオレフィン系エラストマーのいずれか１種が含まれる。スチレン系熱可塑性エラストマーとしては、少なくとも、スチレン―ブタジエン―スチレン共重合体、スチレン―イソプレン―スチレン共重合体、スチレン―エチレンブチレン―スチレン共重合体、スチレン―エチレンプロピレン―スチレン共重合体、スチレン―エチレンエチレンプロピレン―スチレン共重合体のいずれか一種が含まれる。上記オレフィン系エラストマーとしては、少なくとも、オレフィン系熱可塑性エラストマー、エチレン−αオレフィン共重合体、プロピレン−αオレフィン共重合体、エチレン−αオレフィン共重合体（メタロセン触媒）、非晶性ポリαオレフィン、高密度ポリエチレン、低密度ポリエチレン、超低密度ポリエチレンおよびポリプロピレンのいずれか一種が含まれる。
【００１５】
上記ゴム成分としては、少なくとも、ブチルゴム、イソプレンゴム、スチレン―ブタジエンゴム、ブタジエンゴム、エチレンプロピレンゴム、エチレンプロピレン三元共重合体、アクリルゴム、ポリイソプレンおよび天然ゴムのいずれか１種が含まれ、コア・シェル構造を備えるものであってもよい。
【００１６】
さらに、上記転写膜除去材が樹脂成分およびゴム成分を含む場合には、これら樹脂成分とゴム成分との重量比が２５：７５〜７５：２５の範囲に設定されるのが望ましい。
【００１７】
本発明の転写具において、転写具のケースを手指にて把持して、転写ヘッドの先端加圧部を被転写部上に密着状に押し当てた状態で被転写部表面に沿って移動させることにより、上記ケース内の繰出リールから繰出された転写テープ上の転写膜は、上記転写ヘッドにより上記被転写部上に転写されるとともに、使用後の上記転写テープは上記ケース内の巻取リールに巻き取り回収される。
【００１８】
また、上記被転写部上に一旦転写された転写膜を除去したい場合には、上記ケースの一部に設けられた転写膜除去材を用いて、上記転写膜を摩擦除去する。
【発明の効果】
【００１９】
本発明の転写具によれば、ケースの一部に、紙面等に転写された転写膜を摩擦除去する転写膜除去材が設けられているから、この転写具に常備された専用の転写膜除去材により、被転写部上に一旦転写された転写膜を摩擦除去することができ、落下等して遺失してしまう危険も少ない。
【００２０】
また、上記転写膜除去材が設けられるケースの部位が、この転写膜除去材を紙面等に転写された転写膜に押し当てて摩擦除去するに際して、人間工学的に上記ケースを手持ち操作可能な位置に設定されていることにより、転写膜の摩擦除去作業が容易かつ確実に行える。
【００２１】
さらに、上記転写膜除去材が、その一部に上記転写膜の細部を摩擦除去可能な形状寸法の角部を有する外観形状を備えていることにより、上記転写膜全体はもちろんのこと、その細部の一部を摩擦除去することも可能である。
【００２２】
また、本発明の転写膜除去材は、紙面等に転写された転写膜を摩擦除去するに際して、磨耗の少ない材料から構成されているから、転写具により紙面等に一旦転写された各種転写膜を、紙面等を損傷したり汚したりすることなく、容易かつ確実に摩擦除去することができる。
【００２３】
さらに、上記転写膜除去材は、磨耗の少ない材料から構成されているから、上記本発明の転写具のケースの一部に設けられる場合に、転写具自体の寿命に比較して経時的な磨耗がほとんどなく、転写膜除去材の磨耗変形により転写具の外観を損なうこともない。
【発明を実施するための最良の形態】
【００２４】
以下、本発明の実施形態を図面に基づいて詳細に説明する。
【００２５】
実施形態１
本発明に係る転写具が図１に示されており、この転写具１は、具体的には転写テープ上の塗膜や転写マーク等の転写膜を紙面等に転写するための転写具であって、図示例においては、誤字等を修正するための字消し具として使用されるものである。
【００２６】
上記字消し具１は、転写テープを含めてすべての構成部品が消耗品とされてなる使い切りタイプの構造を備え、その基本構造は従来周知のものである。すなわち、字消し具１は、具体的には図示しないが、図示のような外観形状を呈するケース２内に、転写テープ３を繰り出し可能に巻装した繰出リール、使用後の転写テープを巻き取り回収する巻取リール、これら両リールを相互に連動回転させる連動機構、転写テープ３を被転写部上に加圧転写する転写ヘッド４および上記両リールにおける転写テープ３の繰出速度および巻取速度を同期させるクラッチ機構などを主要部として備えてなり、また、ケース２の一部に、紙面等に転写された転写膜を摩擦除去する転写膜除去材５が設けられている。
【００２７】
ケース２は片手による手持ち操作可能なもので、図示のごとく、内装される上記繰出リールおよび巻取リール等の構成部品を内装し得る正面輪郭形状寸法と幅寸法を備える偏平な箱状とされ、その対向する一対の扁平な表裏面２ａ，２ｂが手持ち操作時の基準的な把持面とされている。
【００２８】
このケース２は、射出成形等により一体成形されたプラスチック製のものであって、分割構造のケース本体６とキャップ体７とから構成されるとともに、ケース２の先端部には、上記転写ヘッド４を内外に挿通するヘッド挿通開口８が形成されている。
【００２９】
転写テープ３は従来周知の積層構造を備え、具体的には、フィルム状基材テープの片面に、剥離剤層、修正塗料層および加圧接着性を有する粘着剤（感圧接着剤）層が順次積層されてなり、これら修正塗料層と粘着剤層が転写膜としての修正塗膜１０（図１１参照）を形成している。
【００３０】
上記ケース２内の繰出リールから繰出される転写テープ３は、上記転写ヘッド４の片側テープ走行面に沿って先端加圧部４ａへ案内された後、この先端加圧部４ａを経由して反転され、さらに反対側テープ走行面に沿って案内されて、ケース２内の巻取リールに巻回される。
【００３１】
転写膜除去材５は、紙面等に転写された修正塗膜（転写膜）１０を摩擦除去するためのもので、紙面等に転写された転写膜を摩擦除去するに際して、磨耗の少ない材料から構成されている。
【００３２】
換言すれば、転写膜除去材５は、図２（ａ）に模式的に示されるように、紙面等の被転写部１１に転写された修正塗膜１０を転写膜除去材５により押し付けて擦り取る（摩擦除去する）場合に、修正塗膜１０のみが被転写部１１の表面から剥ぎ取られて、その剥ぎ取られた塗膜屑１０ａのみが生じ、転写膜除去材５には実質的に磨耗が生じないような摩擦除去メカニズムを呈する材質とされる。また、この場合でも、転写膜除去材５の摩擦除去動作により被転写部１１の表面が損傷を受けたりしないようにある程度の弾性を有することが条件とされる。
【００３３】
このような転写膜除去材５に要求される条件は、主として次の理由による。
（ａ）修正塗膜（転写膜）１０を、被転写部１１の表面である紙面等を損傷したり汚したりすることなく、容易かつ確実に摩擦除去することができる。
【００３４】
（ｂ）転写膜除去材５が転写具１の外観の一部を構成していることに鑑みて、転写具１の寿命（本実施形態のような使い切りタイプのものにおいては、転写テープ３の寿命）を通じて、転写膜除去材５の経時的な磨耗がなく、転写膜除去材の磨耗変形により転写具１の外観に影響を与えない。具体的には、転写膜除去材５は、少なくとも転写具１の寿命に対して実質的に摩耗がなく、または少なくとも転写具の寿命に対して実質的に表面性状に変化がない。
【００３５】
ちなみに、従来の一般的な字消し、例えばプラスチック製字消しによる鉛筆で書かれた文字の摩擦除去メカニズムは、図２（ｂ）に模式的に示されるように、紙面１２に鉛筆により筆記された文字１３をプラスチック製字消し１５により押し付けて擦り取る（摩擦除去する）と、紙面１２から擦り取られた文字１３を構成する鉛筆芯材１３ａ、１３ａ、…と、プラスチック製字消し１５からの磨耗屑１５ａとが混ざって消し屑１６となる。
【００３６】
転写膜除去材５の構成材料としては、少なくとも、樹脂成分およびゴム成分のいずれかを含む。
【００３７】
上記樹脂成分としては、熱可塑性エラストマーが好適であり、スチレン系およびオレフィン系熱可塑性エラストマーが好適に使用され、これらは単独でまたは必要に応じて２種以上組み合わせて用いられるが、特にスチレン系熱可塑性エラストマーが好適である。
【００３８】
熱可塑性エラストマーの一般的な構造は、軟質層（ソフトセグメント）と硬質層（ハードセグメント）からなる。軟質層と硬質層が相まって、熱可塑性エラストマー特有のゴム弾性を保持するが、成形加工時に、硬質層が溶融・可塑化して成形加工性を発現させ、成形が終了すると硬化して、塑性変形を防止する拘束成分としての機構を発現する。
【００３９】
スチレン系熱可塑性エラストマーとしては、例えば、スチレン−ブタジエン−スチレン共重合体、スチレン−イソプレン−スチレン共重合体、スチレン−エチレンブチレン−スチレン共重合体、スチレン−エチレンプロピレン−スチレン共重合体、スチレン−エチレンエチレンプロピレン−スチレン共重合体およびスチレン系熱可塑性エラストマーコンパウンドなどが挙げられ、これらは単独でもよいが、必要に応じて２種以上組み合わせて用いてもよい。スチレン系熱可塑性エラストマーの市販品の一例を次に列挙する。
【００４０】
スチレン−ブタジエン−スチレン共重合体としては、例えば、タフプレン（Ａ、１２５、１２６など）、アサプレンＴ（４１１、４１４、４７５など）（以上、旭化成株式会社）およびクレイトンＤ（１１０１、１１０２など）（クレイトンポリマージャパン株式会社）が挙げられる。
【００４１】
スチレン−イソプレン−スチレン共重合体としては、例えば、クレイトンＤ（１１０７、１１１１など）（クレイトンポリマージャパン株式会社）が挙げられる。
【００４２】
スチレン−エチレンブチレン−スチレン共重合体としては、例えば、タフテックＨ（１０３１、１０４１など）（旭化成株式会社）、セプトン（８００４、８００６など）（株式会社クラレ）およびクレイトンＧ（１６５０、１６５１など）（クレイトンポリマージャパン株式会社）が挙げられる。
【００４３】
スチレン−エチレンプロピレン−スチレン共重合体としては、例えば、セプトン（２００２、２００５など）（株式会社クラレ）およびクレイトンＧ１７３０（クレイトンポリマージャパン株式会社）が挙げられる。
【００４４】
スチレン−エチレンエチレンプロピレン−スチレン共重合体としては、例えば、セプトン４０３３（株式会社クラレ）が挙げられる。
【００４５】
オレフィン系エラストマーとしては、例えば、オレフィン系熱可塑性エラストマー、エチレン−αオレフィン共重合体、プロピレン−αオレフィン共重合体、エチレン−αオレフィン共重合体（メタロセン触媒）、非晶性ポリαオレフィン、高密度ポリエチレン、低密度ポリエチレン、超低密度ポリエチレンおよびポリプロピレンなどのオレフィン系エラストマーが挙げられ、これらは単独でもよいが、必要に応じて２種以上組み合わせて用いてもよい。
【００４６】
オレフィン系エラストマーの市販品の一例としては、例えば、住友ＴＰＥ（８２０，８２１、５２６０など）（住友化学工業株式会社）、出光ＴＰＯ（Ｒ１１０Ｅ、Ｍ１４２Ｅなど）（出光石油化学株式会社）およびミラストマー（５０３０、８０３０など）（三井化学株式会社）が挙げられる。
【００４７】
ゴム成分としては、例えば、ＩＩＲ（ブチルゴム）、ＩＲ（イソプレンゴム）、ＳＢＲ（スチレン−ブタジエンゴム）、ＢＲ（ブタジエンゴム）、ＥＰＭ（エチレンプロピレンゴム）、ＥＰＤＭ（エチレンプロピレン三元共重合体）、ＡＣＭ（アクリルゴム）、ポリイソブチレン、ＮＲ（天然ゴム）が挙げられ、これらは単独でもよいが、必要に応じて２種以上組み合わせて用いてもよい。
【００４８】
また、ゴム成分は、コア・シェル構造を備えるものであってもよい。コア・シェル構造のゴム成分は、芯部分と外殻部分からなる構造を持ち、その芯部分と外殻部分で組成が異なる。このように高分子材料のゴム成分がコア・シェル構造を備えることにより、（ｉ）ガラス転移温度（Ｔｇ）の高いものと低いものとの組み合せにより、Ｔｇのコントロールができる、（ｉｉ）外殻部分の樹脂を変えることにより、他の材料への相溶性や接着性を調整できる、および（ｉｉｉ）粘性の高いものと弾性の高いものを組み合わせて、粘弾性のコントロールができる、等のメリットがある。
【００４９】
ゴム成分の市販品の一例を次に列挙する。
ＩＩＲ（ブチルゴム）としては、例えば、エクソンブチル（０６５、２６８など）（エクソンモービル有限会社）およびバイエルブチル（１００、３０１など）（バイエル株式会社）が挙げられる。
【００５０】
ＩＲとしては、例えば、ＪＳＲ  ＩＲ２２００（ジェイエスアール株式会社）が挙げられる。
【００５１】
ＳＢＲとしては、例えば、ＪＳＲ（１５００、０２０２、ＳＬ５５２など）（ジェイエスアール株式会社）およびＮｉｐｏｌ（１５０２、ＮＳ２１０など）（日本ゼオン株式会社）が挙げられる。
【００５２】
ＢＲとしては、例えば、ＪＳＲ（ＢＲ０１、Ｔ７００など）（ジェイエスアール株式会社）およびＮｉｐｏｌ（ＢＲ２２０、ＢＲ１２４１など）（日本ゼオン株式会社）が挙げられる。
【００５３】
ＥＰＭとしては、例えば、ＪＳＲ  ＥＰ１１（ジェイエスアール株式会社）が挙げられる。
【００５４】
ＥＰＤＭとしては、例えば、ＪＳＲ  ＥＰ２１、ＥＰ２４（ジェイエスアール株式会社）が挙げられる。
【００５５】
ＡＣＭとしては、例えば、Ｎｉｐｏｌ（ＡＲ３１、ＡＲ５１、ＡＲ７１、ＡＲ７１Ｌ、ＡＲ３２、ＡＲ４２Ｗ、ＡＲ７２ＬＳ、ＡＲ７２ＨＦ、ＡＲ５３Ｌ、ＡＲ１２、ＡＲ５４、ＡＲ７４Ｘ、ＡＲ１４）（日本ゼオン株式会社）、およびパラクロン（ＳＮ−５０、ＡＸ−２、ＥＭ−ＡＸ−２、ＡＳ−３０００、ＭＥ−３５００、Ｗ−２４８、Ｗ−１９７Ｃ等）（根上工業株式会社）が挙げられる。
【００５６】
また、コア・シェル構造を利用したゴム成分であるＡＣＭとして、例えば、パラクロン（ＲＰ−１０１、ＲＰ−１０３、ＲＰ−３０１、ＲＰ−３０２、ＲＰ−３０３、ＲＰ−４１２）（根上工業株式会社）、およびパラペット（ＧＲ−０４９４０、ＧＲ−０４９７０、ＧＲ−０１２４０、ＧＲ−０１２７０、Ｇ−１０００、ＨＲ−Ｌ、ＳＡ−ＦＷ００１、ＳＡ−ＦＷ１０１、ＳＡ−ＮＷ００１、ＳＡ−ＮＷ２０１、ＳＡ−ＣＷ００１、ＳＡ−１０００ＮＰ、ＳＡ−１０００ＣＰ）（株式会社クラレ）が挙げられる。
【００５７】
転写膜除去材５の具体的な構成材料としては、上述した樹脂成分およびゴム成分のいずれか一つ、またはこれらの混合材料、あるいはこれら単体材料または混合材料に、添加物として、プラスチック加工用又はゴム加工用に使用される添加物として慣用的に使用される公知の成分（例えば、充填剤、軟化剤、滑剤、安定剤、老化防止剤、着色剤など）が適宜選択的に用いることも可能である。
【００５８】
なお、上記写膜除去材が樹脂成分およびゴム成分の両者を含んでなる場合は、これら樹脂成分とゴム成分との重量比が２５：７５〜７５：２５の範囲に設定されているのが望ましい。
【００５９】
また、ケース２における転写膜除去材５が設けられる部位は、この転写膜除去材５を紙面等に転写された修正塗膜（転写膜）１０に押し当てて摩擦除去するに際して、人間工学的にケース２を手持ち操作可能な位置に設定される。
【００６０】
換言すれば、図２（ａ）に示されるように、被転写部１１に転写された修正塗膜１０に対して転写膜除去材５を押し付けて擦り取る姿勢をとった場合、使用者が片手の手指にてケース２を自然な形で把持できるとともに、過度に無用な力を要することなくケース２を摩擦除去操作できるように構成されている。
【００６１】
図示の実施形態の転写膜除去材５は、ケース２の先端部から突設された転写ヘッド４の両側部つまり転写テープ３の走行を案内するガイドフランジ４ｂ、４ｂの外側面に、側方へ突出して一体的に設けられて、転写テープ３の転写操作時とほぼ同様な操作性が確保されている。
【００６２】
この転写膜除去材５は、具体的には、転写ヘッド４の成形時に同時に形成されるところ、転写ヘッド４自体にもある程度の弾性（加圧転写時における転写テープ３の加圧方向への弾性変形を許容する程度の弾性）が付与される必要があることから、上記条件が満たされる限り、転写ヘッド４と転写膜除去材５が同一の構成材料から形成されても良い。このように転写ヘッド４と転写膜除去材５が同一構成材料からなる場合には、両者が射出成形により一体成形される。
【００６３】
転写膜除去材５の外観形状は、その一部に角部５ａを有することが望ましく、図示の実施形態の転写膜除去材５は円錐台形状とされて、その先端部の縁部が上記角部５ａを形成している。この角部５ａの形状寸法は修正塗膜１０の細部を摩擦除去可能な程度に設定される。これにより、角部５ａを構成する円錐台形の縁に沿った方向へ転写膜除去材５を移動操作することにより、修正塗膜１０の細部の一部のみを摩擦除去できる一方、円錐台形の縁に交差する方向へ転写膜除去材５を移動操作することにより、修正塗膜１０の広い範囲あるいは全部を効率良く摩擦除去できる。
【００６４】
しかして、以上のように構成された転写具１により誤字等を修正するには、図１１に示すように、ケース２の把持面２ａ，２ｂを手指にて把持して、転写ヘッド４の先端加圧部４ａを紙面等の被転写部１１上に密着状に押し当てて、そのままケース２を被転写部１１の表面に沿って移動させることにより、転写ヘッド４の先端加圧部４ａにおける転写テープ３の修正塗膜１０が、基材テープから剥離して上記被修正部分１１上に転写されるとともに、修正塗膜１０が剥離された使用後の転写テープつまり上記基材テープはケース２内の巻取リールに巻取り回収される。
【００６５】
また、上記被転写部１１上に一旦転写された修正塗膜１０を除去したい場合には、上記ケース２の転写ヘッド４に設けられた転写膜除去材５を用いて、上記修正塗膜１０を摩擦除去する。
【００６６】
この場合、転写膜除去材５はケース２の転写ヘッド４に一体的に設けられて、転写具１に常備されているから、落下等して遺失してしまう危険がない。
【００６７】
また、このように転写膜除去材５が設けられるケース２の部位が、転写膜除去材５を被転写部１１に転写された修正塗膜１０に押し当てて摩擦除去するに際して、人間工学的に上記ケース２を手持ち操作可能な位置に設定されていることにより、修正塗膜１０の摩擦除去作業が容易かつ確実に行える。
【００６８】
また、上記転写膜除去材５の外観形状が円錐台形状とされて、その一部に修正塗膜１０の細部を摩擦除去可能な形状寸法の角部５ａを有しているから、修正塗膜１０全体はもちろんのこと、その細部の一部を摩擦除去することも可能である。
【００６９】
さらに、転写膜除去材５は、紙面等に転写された転写膜を摩擦除去するに際して、磨耗の少ない材料から構成されているから、転写具１により紙面等の被転写部１１に一旦転写された修正塗膜１０を、紙面等を損傷したり汚したりすることなく、容易かつ確実に摩擦除去することができる。
【００７０】
また、上記転写膜除去材５が磨耗の少ない材料から構成されていることにより、転写具１自体の寿命を通じて経時的な磨耗がほとんどなく、転写具１の外観を損なうこともない。
【００７１】
実施形態２
本実施形態は図３に示されており、実施形態１における転写膜除去材５の形成される位置が改変されたものである。
【００７２】
すなわち、本実施形態の転写膜除去材２５は、ケース２の先端部表面に一体的に設けられている。具体的には、本実施形態の転写膜除去材２５は、ケース２の先端部における両側面つまり把持面２ａ、２ｂに側方へ突出して一体的に設けられている。
【００７３】
このような配置構成が、転写膜除去材２５を紙面等に転写された修正塗膜１０に押し当てて摩擦除去するに際して、人間工学的にケース２を手持ち操作可能とし、転写テープ３の転写操作時とほぼ同様な操作性を確保することができることは、実施形態１の場合と同様である。
【００７４】
転写膜除去材２５の外観形状は、実施形態１と同様な、具体的には実施形態１と相似形の円錐台形状とされて、その先端部の縁部２５ａが修正塗膜１０の細部を摩擦除去可能な角部を形成している。
その他の構成および作用は実施形態１と同様である。
【００７５】
実施形態３
本実施形態は図４に示されており、実施形態１における転写膜除去材５の形成される位置が改変されたものである。
【００７６】
すなわち、本実施形態の転写膜除去材３５は、ケース２の外部に臨んで設けられた転写テープ３を巻き戻すための巻戻しボタンの形態とされている。図示しないが、ケース２の内部に装着された転写テープ３を巻装した繰出リールの回転支軸の一端に、巻戻しボタンとしての機能を兼備する転写膜除去材３５が一体的に設けられ、これがケース２の挿通穴３６から外部に突出状に臨んでいる。
【００７７】
転写膜除去材３５の外観形状は、実施形態１と同様な、具体的には実施形態１と相似形の円錐台形状とされて、巻戻しボタンとしての回転操作性を備えるととともに、その先端部の縁部３５ａが修正塗膜１０の細部を摩擦除去可能な角部を形成している。
【００７８】
この転写膜除去材３５は、上記繰出リールの支軸と別体に形成されて、この支軸に取り外し可能に係合装着されているが、前述した転写膜除去材の構成材料として要求される条件を満たされる限り、支軸と同一の構成材料でかつ一体形成されても良い。
【００７９】
しかして、以上のように構成された転写具１においては、転写膜除去材３５を紙面等に転写された修正塗膜１０に押し当てて摩擦除去するに際して、ケース２の適所を手指にて把持することにより、転写テープ３の転写操作時とほぼ同様な操作性を確保することができる。
その他の構成および作用は実施形態１と同様である。
【００８０】
実施形態４
本実施形態は図５に示されており、実施形態１の転写具１の基本構造と転写膜除去材５の構成が改変されたものである。
【００８１】
すなわち、実施形態１の転写具１は使い切りタイプであるが、本実施形態の転写具４１は、少なくとも前記繰出リールおよび巻取リールを備えるテープカートリッジが、ケース２内に取外し交換可能に装着されて、転写テープ３の交換が可能な構造を備えてなるリフィルタイプとされており、これに対応して、紙面等に転写された転写膜を摩擦除去する転写膜除去材４５がケース２の一部を構成するケース構成部材の形態とされている。
【００８２】
上記転写膜除去材４５は、具体的には図５（ａ）に示すように、ケース２の構成部材であるケース本体６とキャップ体７を組立閉止する閉止部材として、ケース２の外形の一部を構成する形状とされるとともに、このケース２に対して取外し可能とされている。
【００８３】
つまり、図５（ｂ）に示すように、ケース本体６とキャップ体７の合わせ部４６、４７が互いに当接係合して、鳩尾形状断面を有するいわゆる蟻形状を形成するとともに、上記転写膜除去材４５の底部に形成された係合溝４８がいわゆる蟻溝形状とされている。
【００８４】
そして、転写膜除去材４５を上記合わせ部４６、４７に対して、図５（ａ）のＸ方向（図５（ｂ）の紙面に対して垂直方向）へスライドして係止させることにより、これら両合わせ部４６、４７を外側から抱持状に共締め固定するようにされている。
【００８５】
転写膜除去材４５の構成材料については、実施形態１の転写膜除去材５と同様である。
【００８６】
しかして、以上のように構成された転写具１において、転写膜除去材４５は、ケース２を開けて内部の転写テープ３を交換する際にケース２から取り外すほか、図２（ａ）に示すように、被転写部１１上に一旦転写された修正塗膜１０を除去する場合にも、上記ケース２から取り外して単独で使用する。また、ケース２に転写膜除去材４５を装着したままで上記修正塗膜１０を除去する場合には、ケース２自体が転写膜除去時の手持操作部としても機能することとなる。
【００８７】
この場合、転写膜除去材４５の外周エッジ４５ａが上記修正塗膜１０の細部を摩擦除去可能な形状寸法の角部として機能するから、修正塗膜１０全体はもちろんのこと、その細部の一部を摩擦除去することも可能である。
その他の構成および作用は実施形態１と同様である。
【００８８】
実施形態５
本実施形態は図６に示されており、実施形態１の転写膜除去材５の構成が改変されたものである。
【００８９】
すなわち、本実施形態の転写膜除去材５５は、ケース２の表面に貼着される転写膜除去シールの形態とされている。具体的には図６（ｂ）に示すように、転写膜除去材５５は、弾性シート状に形成されるとともに、その裏面全体に粘着剤層５５ａが積層形成されてなり、この粘着剤層５５ａを介してケース２の後端部側面に沿って完全密着状に貼着されている。
【００９０】
転写膜除去材５５の構成材料については、実施形態１の転写膜除去材５と同様である。
【００９１】
しかして、以上のように構成された転写具１において、転写膜除去材５５を紙面等に転写された修正塗膜１０に押し当てて摩擦除去するに際しては、ケース２の適所を手指にて把持することにより、転写テープ３の転写操作時とほぼ同様な操作性を確保することができる。つまり、具体的には図示しないが、ケース２の持ち方は修正塗膜１０の転写操作時の持ち方と前後逆転した状態となる。
その他の構成および作用は実施形態１と同様である。
【００９２】
実施形態６
本実施形態は図７に示されており、実施形態１の転写具１の基本構造と転写膜除去材５の構成が改変されたものである。
【００９３】
すなわち、本実施形態の転写具６１は、実施形態４と同様のリフィルタイプとされており、具体的には、図示の細長い外観形状を呈するケース６２内に、転写テープ３を繰り出し可能に巻装した繰出リール、使用後の転写テープを巻き取り回収する巻取リール、これら両リールを相互に連動回転させる連動機構、転写テープ３を被転写部上に加圧転写する転写ヘッド４および上記両リールにおける転写テープ３の繰出速度および巻取速度を同期させるクラッチ機構などを備えるテープカートリッジが取外し交換可能に装着されている。また、ケース２の一部（図示の場合は後端部）には、紙面等に転写された転写膜を摩擦除去する転写膜除去材６５が設けられている。
【００９４】
この転写膜除去材６５は保護キャップ６３を取外し可能に保持するキャップ保持部としての機能を兼備している。つまり、転写具６１は、上記転写ヘッド４を被覆保護する保護キャップ６３を備えるとともに、上記ケース６２の後端部に、キャップ保持部兼用の上記転写膜除去材６５が後方へ突出して一体的に設けられている。
【００９５】
転写膜除去材６５の外観形状は、具体的には図７（ａ）に示すようなほぼ円錐台形状に形成されて、その先端部の縁部が実施形態１の角部５ａと同様な角部６５ａを形成している。また、転写膜除去材６５の先端部近傍位置には、保護キャップ６３の内側面に設けられた環状の嵌合リブ６３ａと嵌合する環状嵌合溝６５ｂが全周にわたって設けられている。
【００９６】
転写膜除去材６５の構成材料については、実施形態１の転写膜除去材５と同様である。
【００９７】
上記保護キャップ６３は、転写ヘッド４の形状寸法よりも大きな内部空間を有する形状寸法を備えるとともに、その内側面の上記環状嵌合リブ６３ａが、ケース６２先端部に設けられたヘッド保持部６６の係合部６６ａに弾発的に係合する構造とされている。
【００９８】
しかして、以上のように構成された転写具６１において、誤字等を修正するには、図７（ｂ）に示すように、転写ヘッド４の保護キャップ６３を取り外すとともに、ケース２の後端部の転写膜除去材６５に嵌合保持させた状態で、転写具６１を転写操作する。
【００９９】
一方、被転写部１１上に一旦転写された修正塗膜１０を摩擦除去する場合には、図７（ａ）に示すように、保護キャップ６３を転写ヘッド４に被覆保護させた状態で、ケース２に一体的に設けられた上記転写膜除去材６５を使用する。この場合のケース６２の持ち方は、修正塗膜１０の転写操作時の持ち方と前後逆転した状態となり、上記転写テープ３の転写操作時とほぼ同様な操作性を確保することができる。つまり、具体的には図示しないが、ケース２の持ち方は修正塗膜１０の転写操作時の持ち方と前後逆転した状態となる。
その他の構成および作用は実施形態１と同様である。
【０１００】
実施形態７
本実施形態は、実施形態６の転写具６１の構成が改変されたものである。具体的には、実施形態６においては、転写膜除去材６５が保護キャップ６３を取外し可能に保持するキャップ保持部を兼ねる構成とされていたが、本実施形態においては、上記保護キャップ７５自体が転写膜除去材で形成されている。この転写膜除去材７５の構成材料については、実施形態１の転写膜除去材５と同様である。
【０１０１】
したがって、本実施形態におけるキャップ保持部７６の構成材料は、転写膜除去材のような条件は不要であり、キャップ保持機能を有する限り特に限定されない。
その他の構成および作用は実施形態６と同様である。
【０１０２】
実施形態８
本実施形態は図８に示されており、実施形態１の転写膜除去材５の構成が改変されたものである。
【０１０３】
すなわち、本実施形態の転写膜除去材８５は、ケース２の一部に取外し可能に設けられてなる直線定規の形態とされている。具体的には、この転写膜除去材８５は、その正面形状が図８（ａ）に示すような細長いほぼ矩形状とされるとともに、その両側縁部８５ａ、８５ｂが図８（ｂ）に示すような傾斜断面を有する平板状とされてなり、片側縁部８５ａには計測目盛８６が設けられている。
【０１０４】
また、上記ケース２の片側面２ａには、上記転写膜除去材８５の断面形状に対応したいわゆる蟻溝形状の装着溝８７が設けられており、この装着溝８７に転写膜除去材８５を図８（ａ）のＸ方向（図８（ｂ）の紙面に対して垂直方向）へスライドして挿入させることにより、ケース２に転写膜除去材８５が取外し可能に装着される。
【０１０５】
転写膜除去材８５の構成材料については、実施形態１の転写膜除去材５と同様である。
【０１０６】
しかして、以上のように構成された転写具１において、転写膜除去材８５はケース２に常備されて、適宜ケース２から取り外すことにより、図２（ａ）に示すように、被転写部１１上に一旦転写された修正塗膜１０を摩擦除去する本来的使用がなされるとともに、図８（ｃ）に示すように、直線定規としての使用が可能である。
【０１０７】
なお、転写膜除去材８５の側縁部８５ａ、８５ｂは、上記修正塗膜１０の細部を摩擦除去可能な形状寸法の角部として機能するから、修正塗膜１０全体はもちろんのこと、その細部の一部を摩擦除去することも可能である。
その他の構成および作用は実施形態１と同様である。
【０１０８】
実施形態９
本実施形態は図９に示されており、実施形態１の転写膜除去材５の構成が改変されたものである。
【０１０９】
すなわち、本実施形態の転写膜除去材９５は、ケース２の一部に取外し可能に設けられてなる板状の保持クリップの形態とされている。具体的には、この転写膜除去材９５は、図９（ｂ）に示すようなほぼコ字形状に成形された薄肉の板状体とされ、弾性変形可能な平行な二つの挟持片９６ａ、９６ｂは、一方９６ｂが他方９６ａよりも長く設定されるとともに、これら両者の先端部がほぼ半円弧形状に形成されている。
【０１１０】
また、上記ケース２の両側面２ａ、２ｂには、図９（ａ）に示すように、上記転写膜除去材９５の両挟持片９６ａ、９６ｂの形状寸法に対応した装着溝９７ａ、９７ｂがそれぞれ設けられており、これら装着溝９７ａ、９７ｂに転写膜除去材９５の挟持片９６ａ、９６ｂを図９（ａ）のＸ方向へスライドして挿入係止させることにより、ケース２に転写膜除去材９５が取外し可能に装着される。
【０１１１】
転写膜除去材９５の構成材料については、実施形態１の転写膜除去材５と同様である。
【０１１２】
しかして、以上のように構成された転写具１において、転写膜除去材９５はケース２に常備される一方、適宜ケース２から取り外すことにより、図２（ａ）に示すように、被転写部１１上に一旦転写された修正塗膜１０を摩擦除去する本来的使用がなされるとともに、図９（ｃ）に示すように、書類等を挟持状に保持する保持クリップとしての使用が可能である。
【０１１３】
なお、転写膜除去材９５の側縁部特に基端部分の側縁部９５ａは、上記修正塗膜１０の細部を摩擦除去可能な形状寸法の角部として機能するから、修正塗膜１０全体はもちろんのこと、その細部の一部を摩擦除去することも可能である。
その他の構成および作用は実施形態１と同様である。
【０１１４】
実施形態１０
本実施形態は図１０に示されており、実施形態１の転写膜除去材５の構成が改変されたものである。
【０１１５】
すなわち、本実施形態の転写膜除去材１０５は、ケース２の一部に取外し可能に設けられてなるケーススタンドの形態とされている。具体的には、この転写膜除去材１０５は、図１０（ｂ）に示すようなほぼコ字形状に成形された厚肉の板状体とされ、基台部１０６の両側縁から二つの挟持片１０７ａ、１０７ｂが平行に起立して形成されるとともに、これら両挟持片１０７ａ、１０７ｂは、その上端部が上向き円弧形状に形成された同一形状とされている。
【０１１６】
また、これら両挟持片１０７ａ、１０７ｂ間の間隔寸法は、上記ケース２の両側面２ａ、２ｂ間の幅寸法とほぼ同一寸法に設定されて、図１０（ａ）に示すように、机等の上面に載置された転写膜除去材１０５の両挟持片１０７ａ、１０７ｂ間に、転写具１のケース２が弾発的に挟持されて、ケーススタンドとしての転写膜除去材１０５に起立状に保持される。
【０１１７】
転写膜除去材１０５の構成材料については、実施形態１の転写膜除去材５と同様である。
【０１１８】
しかして、以上のように構成された転写具１において、転写膜除去材１０５はケース２に常備される一方、適宜ケース２から取り外すことにより、図２（ａ）に示すように、被転写部１１上に一旦転写された修正塗膜１０を摩擦除去する本来的使用がなされるとともに、図１０（ａ）に示すように、転写具１を起立保持するケーススタンドとしての使用が可能である。
【０１１９】
なお、転写膜除去材１０５の各側縁部１０５ａは、上記修正塗膜１０の細部を摩擦除去可能な形状寸法の角部として機能するから、修正塗膜１０全体はもちろんのこと、その細部の一部を摩擦除去することも可能である。
その他の構成および作用は実施形態１と同様である。
【実施例】
【０１２０】
続いて、本発明に係る転写膜除去材を実施例および比較例に基づいてさらに詳細に説明する。
【０１２１】
実施例１〜１０
表１に示す組成の転写膜除去材（実施例１〜１０）をそれぞれ調製した。なお、表中の各成分の割合は組成全量に対する重量パーセントで示されている。
【０１２２】
具体的には、表１に示すように、樹脂成分としてスチレン系熱可塑性エラストマーである二種類のＳＢＳ（スチレン−ブタジエン−スチレン共重合体）を使用して、所定の割合で配合した生地を、１２０℃に加熱した２本のロールに投入して、充分混練りを行った後、押し成形により、所望の形状（例えば、円柱状）を有する転写膜除去材（実施例１〜１０）を得た。
【０１２３】
実施例１１〜１３
実施例１〜１０と同様に、表２に示す組成の転写膜除去材（実施例１１〜１３）をそれぞれ調製した。具体的には、表２に示すように、ゴム成分として二種類のアクリルゴムを使用し、これらを所定の割合で配合して生地とした。
【０１２４】
実施例１４〜３１
実施例１〜１０と同様に、表３に示す組成の転写膜除去材（実施例１４〜３１）をそれぞれ調製した。具体的には、表３に示すように、ゴム成分としてアクリルゴムを使用するとともに、樹脂成分としてＳＢＳを使用し、これらを所定の割合で配合して生地とした。
【０１２５】
比較例１〜７
実施例１〜１０と同様に、表４に示す組成の転写膜除去材（比較例１〜７）をそれぞれ調製した。具体的には、表４に示すように、樹脂成分として単一のポリエステル系熱可塑性エラストマーを使用して生地とした。
【０１２６】
比較例８〜１０
実施例１〜１０と同様に、表５に示す組成の転写膜除去材（比較例８〜１０）をそれぞれ調製した。具体的には、表５に示すように、樹脂成分として単一のポリエステル系熱可塑性エラストマーを使用して生地とした。
【０１２７】
【表１】
2010076455.tif 000003
【０１２８】
【表２】
2010076455.tif 000004
【０１２９】
【表３】
2010076455.tif 000005
【０１３０】
【表４】
2010076455.tif 000006
【０１３１】
【表５】
2010076455.tif 000007
【０１３２】
このようにして得た実施例１〜３１および比較例１〜１０の転写膜除去材を試料として、各試料についての転写膜除去試験Ｉ〜ＩＩＩを行い、転写膜の剥がし能力（除去能力）、転写膜除去後の被転写面の状態および磨耗量を測定、評価した。
【０１３３】
転写膜除去試験Ｉ〜ＩＩＩ：
１．試験片：
実施例１〜３１および比較例１〜１０で得た転写膜除去材（直径１０ｍｍ、長さ約５．０ｍｍの円柱状ペレット）
【０１３４】
２．転写膜形成紙：
（ａ）転写膜除去試験Ｉ：
一般市販の修正テープ（塗膜転写具）（商品名「ケシワードＩＶ」株式会社シード製）を用いて、その転写テープの修正塗膜を紙面（被転写部）上に転写して作成したもの
（ｂ）転写膜除去試験ＩＩ：
一般市販の粘着テープ（塗膜転写具）（商品名「エスカルＩＩ」フジコピアン株式会社製）を用いて、その転写テープの粘着塗膜を紙面（被転写部）上に転写して作成したもの
（ｃ）転写膜除去試験ＩＩＩ：
一般市販のマーカテープ（塗膜転写具）（商品名「ピロス」ユニオンケミカー株式会社製）を用いて、その転写テープのマーカ塗膜を紙面（被転写部）上に転写して作成したもの
【０１３５】
３．試験方法：
円柱形状の試験片を磨耗試験機に取り付けるとともに、この試験片の先端部の円弧状エッジ（角部）を転写膜形成紙に対して垂直になるように接触させた状態で、紙面に平行な方向への往復移動速度が１５０±１０ｃｍ／ｍｉｎ、および紙面に対する加圧力として試験片にかかる荷重が５００ｇの条件の下で、転写膜形成紙上の修正塗膜（転写膜）が剥がれ取れるまで摩擦除去動作を行い、その剥がし能力（除去能力：修正塗膜を剥がすまでに要した往復回数）、修正塗膜除去後の転写膜形成紙の紙面の状態および試験片の磨耗量を測定または評価した。
【０１３６】
これらの試験は、上記３種類のテープ（修正テープ、粘着テープ、マーカテープ）の転写膜（転写膜形成紙）に対してそれぞれ行い、その試験結果（剥がし能力、紙面の削傷および摩耗量）が、表１〜表５の下段の各欄にそれぞれ示されている。
【０１３７】
４．試験結果：
（Ａ）剥がし能力：
この剥がし能力については、修正塗膜を剥がすまでに要した往復回数が１回〜５回までの場合は◎（優良）、６回〜１０回までの場合は○（良）、１１回以上で剥離した場合は△（やや不良）、および回数を重ねても剥がれない場合は×（不良）に区分して評価した。
【０１３８】
（ａ）転写膜除去試験Ｉ：
実施例１〜３１（本発明品）についてはすべて○（良）以上の評価で、実用上まったく問題なく、特に実施例４〜３１については優れた剥がし能力を発揮することが判明した。
一方、比較例１〜１０（比較品）についてはすべて△（やや不良）以下の評価で、実用上問題があることが判明した。
【０１３９】
（ｂ）転写膜除去試験ＩＩ：
実施例１〜３１（本発明品）についてはすべて◎（優良）以上の評価で、実用上まったく問題ないばかりか、優れた剥がし能力を発揮することが判明した。
一方、比較例１〜３、８および９（比較品）については○（良）以上の評価であるが、比較例４〜７および１０（比較品）については△（やや不良）以下の評価で、実用上問題があることが判明した。
【０１４０】
（ｃ）転写膜除去試験ＩＩＩ：
実施例１〜３１（本発明品）についてはすべて◎（優良）以上の評価で、実用上まったく問題ないばかりか、優れた剥がし能力を発揮することが判明した。
一方、比較例１〜９（比較品）については○（良）以上の評価であるが、比較例１０（比較品）については×（不良）の評価で、実用上問題があることが判明した。
【０１４１】
（Ｂ）紙面の削傷：
この紙面の削傷については、修正塗膜除去後の転写膜形成紙の紙面の状態を観察して、試験片の摩擦除去動作による削傷の有無を調べ、削傷がない場合は○（良）、および削傷が有る場合は×（不良）に区分して評価した。
【０１４２】
（ａ）転写膜除去試験Ｉ：
実施例１〜３１（本発明品）についてはすべて○（良）の評価で、紙面に損傷を与えることがなく実用上まったく問題がないことが判明した。
一方、比較例１〜３および６〜１０（比較品）については○（良）の評価であるが、比較例４および５（比較品）については×（不良）の評価で、紙面に損傷を与えてしまい実用上問題があることが判明した。
【０１４３】
（ｂ）転写膜除去試験ＩＩ：
実施例１〜３１（本発明品）についてはすべて○（良）の評価で、紙面に損傷を与えることがなく実用上まったく問題がないことが判明した。ちなみに、比較例１〜１０（比較品）についても○（良）の評価であった。
【０１４４】
（ｃ）転写膜除去試験ＩＩＩ：
実施例１〜３１（本発明品）についてはすべて○（良）の評価で、紙面に損傷を与えることがなく実用上まったく問題がないことが判明した。ちなみに、比較例１〜１０（比較品）についても○（良）の評価であった。
【０１４５】
（Ｃ）摩耗量（ｍｇ）：
この試験片の摩耗量については、修正塗膜に対して１０往復の移動動作を１回の摩擦除去操作として、つまり修正塗膜を剥がすまでに要した実用上問題のない往復回数１０回を１回の摩擦除去操作として、２００回の摩擦除去操作（統計的に、転写具の寿命を通じての摩擦除去操作回数（使い切りタイプのものにあっては、内装される転写テープ自体の寿命の５０００倍に相当するとともに、リフィルタイプのものにあっては、交換可能に内装される転写テープ１０本分の５００倍に相当する））に対する試験片の摩耗量を測定した。
【０１４６】
（ａ）転写膜除去試験Ｉ：
実施例１〜３１（本発明品）のすべてについて摩耗量は０で摩耗がなく、実用上まったく問題のないことが判明した。ちなみに、比較例１〜１０（比較品）についても、同様に摩耗量は０で摩耗がなかった。
【０１４７】
（ｂ）転写膜除去試験ＩＩ：
実施例１〜３１（本発明品）のすべてについて摩耗量は０で摩耗がなく、実用上まったく問題のないことが判明した。ちなみに、比較例１〜１０（比較品）についても、同様に摩耗量は０で摩耗がなかった。
【０１４８】
（ｃ）転写膜除去試験ＩＩＩ：
実施例１〜３１（本発明品）のすべてについて摩耗量は０で摩耗がなく、実用上まったく問題のないことが判明した。ちなみに、比較例１〜１０（比較品）についても、同様に摩耗量は０で摩耗がなかった。
【０１４９】
なお、上述した実施形態はあくまでも本発明の好適な実施態様を示すものであって、本発明はこれに限定されることなく、その範囲内で種々の設計変更が可能である。一例として以下のような改変が可能である。
【０１５０】
（１）例えば、実施形態１−３、５および８−１０の転写具１は、転写テープを含めてすべての構成部品が消耗品とされてなる使い切りタイプの構造を備えてなる一方、実施形態４、６および７の転写具４１、６１は、転写テープを含めた構成部品の一部が交換可能とされてなるリフィルタイプの構造を備えてなるが、これらにそれぞれ設けられた転写膜除去材５、２５、３５、４５、５５、６５、７５、８５、９５および１０５は、それぞれ逆のタイプの構造の転写具への転用、つまり使い切りタイプの構造のものにあってはリフィルタイプの構造の転写具への適用、またリフィルタイプの構造のものにあっては使い切りタイプの構造の転写具への適用が可能であることはもちろんである。
【０１５１】
（２）また、図示の実施形態の転写具１、４１および６１はいずれも、転写テープを繰り出し可能に巻装した繰出リールに加えて、転写ヘッドにより転写部上に加圧転写された後の使用後の転写テープを巻き取り回収する巻取リールもケース内に備えてなる構造を備えているが、本発明に係る上記転写膜除去材５−１０５は、上記巻取リールが省略されて、使用後の転写テープがケース内に回収されることなく切断除去される簡易な形式の構造の転写具にも採用可能である。
【０１５２】
（３）さらに、転写テープ３は、図示のような修正塗膜を配置保持されてなる修正テープのほか、上記の試験で用いた粘着テープ（基材テープの表面に、粘着塗膜が剥離可能に配置保持されてなる）やマーカテープ（基材テープの表面に、マーカ塗膜が剥離可能に配置保持されてなる）、あるいはマーク転写テープ（基材テープの表面に、感圧接着性を有する転写マークが所定間隔をもって連続的にかつ剥離可能に配置保持されてなる）など、各種転写テープが適用可能である。
【図面の簡単な説明】
【０１５３】
【図１】本発明の実施形態１である転写具を示し、図１（ａ）は同転写具の全体を示す斜視図であり、図１（ｂ）は同転写具の要部を拡大して示す斜視図である。
【図２】同転写具の転写膜除去材の摩擦除去動作時における摩擦除去メカニズムを説明するための模式図で、図２（ａ）は同転写膜除去材の摩擦除去メカニズムを示し、図２（ｂ）は従来公知のプラスチック製字消しの摩擦除去メカニズムを示す。
【図３】本発明の実施形態２である転写具を示し、図３（ａ）は同転写具の全体を示す斜視図であり、図３（ｂ）は同転写具の要部を拡大して示す斜視図である。
【図４】本発明の実施形態３である転写具を示し、図４（ａ）は同転写具の全体を示す斜視図であり、図４（ｂ）は同転写具の要部を拡大して示す斜視図である。
【図５】本発明の実施形態４である転写具を示し、図５（ａ）は同転写具の全体を示す正面図であり、図５（ｂ）は同転写具の要部を示す図５（ａ）のＢ−Ｂ線に沿った断面図である。
【図６】本発明の実施形態５である転写具を示し、図６（ａ）は同転写具の全体を示す斜視図であり、図６（ｂ）は同転写具の要部を拡大して示す斜視図である。
【図７】本発明の実施形態６である転写具を示し、図７（ａ）は同転写具の不使用時または転写膜除去作業時の状態を示す正面図、図７（ｂ）は同転写具の使用時の状態を示す正面図および図７（ｃ）は同転写具の保護キャップを拡大して示す斜視図である。
【図８】本発明の実施形態８である転写具を示し、図８（ａ）は同転写具の全体を示す正面図、図８（ｂ）は同転写具の要部を示す図８（ａ）のＢ−Ｂ線に沿った断面図および図８（ｃ）は同転写具の使用状態の一例を示す斜視図である。
【図９】本発明の実施形態９である転写具を示し、図９（ａ）は同転写具の全体を示す正面図、図９（ｂ）は同転写具の転写膜除去材を示す斜視図および図９（ｃ）は同転写膜除去材の保持クリップとしての使用状態の一例を示す斜視図である。
【図１０】本発明の実施形態１０である転写具を示し、図１０（ａ）は同転写具の全体を示す正面図、図１０（ｂ）は同転写具の転写膜除去材を示す斜視図である。
【図１１】転写具の一般的な使用状態を示す斜視図である。
【符号の説明】
【０１５４】
１                      字消し具（転写具）
２                      ケース
３                      転写テープ
４                      転写ヘッド
５                      転写膜除去材
５ａ                    転写膜除去材の角部
１０                    修正塗膜（転写膜）１０
１１                    被転写部
２５                    転写膜除去材
２５ａ                  転写膜除去材の角部
３５                    転写膜除去材
３５ａ                  転写膜除去材の角部
４１                    転写具
４５                    転写膜除去材
４５ａ                  転写膜除去材の外周エッジ（角部）
５５                    転写膜除去材
６１                    転写具
６３                    保護キャップ
６５                    転写膜除去材（キャップ保持部兼用）
６５ａ                  転写膜除去材の角部
７５                    転写膜除去材（保護キャップ兼用）
７６                    キャップ保持部
８５                    転写膜除去材（直線定規兼用）
８５ａ、８５ｂ          転写膜除去材の側縁部（角部）
９５                    転写膜除去材（保持クリップ兼用）
９５ａ                  転写膜除去材の側縁部（角部）
１０５                  転写膜除去材
１０５ａ                転写膜除去材の側縁部（角部）
【図１】
2010076455.tif 000008
【図２】
2010076455.tif 000009
【図３】
2010076455.tif 000010
【図４】
2010076455.tif 000011
【図５】
2010076455.tif 000012
【図６】
2010076455.tif 000013
【図７】
2010076455.tif 000014
【図８】
2010076455.tif 000015
【図９】
2010076455.tif 000016
【図１０】
2010076455.tif 000017
【図１１】
2010076455.tif 000018
【手続補正書】
【提出日】平成22年2月11日(2010.2.11)
【手続補正１】
【補正対象書類名】特許請求の範囲
【補正対象項目名】全文
【補正方法】変更
【補正の内容】
【特許請求の範囲】
【請求項１】
転写テープ上の塗膜や転写マーク等の転写膜を紙面等に転写するための転写具であって、
少なくとも、片手による手持ち操作可能なケースと、このケース内に回転可能に装着されて、転写テープを繰り出し可能に巻装した繰出リールと、前記ケースの先端部分に配設されて、前記繰出リールから繰り出される転写テープを被転写部上に加圧転写する転写ヘッドとを備えてなり、
前記ケースの一部位に、紙面等に転写された転写膜を摩擦除去する転写膜除去材が設けられ、
この転写膜除去材は、少なくとも、樹脂成分としてスチレン系熱可塑性エラストマーを含んでなり、
前記スチレン系熱可塑性エラストマーが、少なくとも、スチレン―ブタジエン―スチレン共重合体、スチレン―イソプレン―スチレン共重合体、スチレン―エチレンブチレン―スチレン共重合体、スチレン―エチレンプロピレン―スチレン共重合体、スチレン―エチレンエチレンプロピレン―スチレン共重合体のいずれか一種を含む
ことを特徴とする転写具。
【請求項２】
転写テープ上の塗膜や転写マーク等の転写膜を紙面等に転写するための転写具であって、
少なくとも、片手による手持ち操作可能なケースと、このケース内に回転可能に装着されて、転写テープを繰り出し可能に巻装した繰出リールと、前記ケースの先端部分に配設されて、前記繰出リールから繰り出される転写テープを被転写部上に加圧転写する転写ヘッドとを備えてなり、
前記ケースの一部位に、紙面等に転写された転写膜を摩擦除去する転写膜除去材が設けられ、
この転写膜除去材は、少なくとも、樹脂成分としてオレフィン系熱可塑性エラストマーを含んでなり、
前記オレフィン系エラストマーが、少なくとも、オレフィン系熱可塑性エラストマー、エチレン−αオレフィン共重合体、プロピレン−αオレフィン共重合体、エチレン−αオレフィン共重合体（メタロセン触媒）、非晶性ポリαオレフィン、高密度ポリエチレン、低密度ポリエチレン、超低密度ポリエチレンおよびポリプロピレンのいずれか一種を含む
ことを特徴とする転写具。
【請求項３】
転写テープ上の塗膜や転写マーク等の転写膜を紙面等に転写するための転写具であって、
少なくとも、片手による手持ち操作可能なケースと、このケース内に回転可能に装着されて、転写テープを繰り出し可能に巻装した繰出リールと、前記ケースの先端部分に配設されて、前記繰出リールから繰り出される転写テープを被転写部上に加圧転写する転写ヘッドとを備えてなり、
前記ケースの一部位に、紙面等に転写された転写膜を摩擦除去する転写膜除去材が設けられ、
この転写膜除去材は、少なくとも、コア・シェル構造のゴム成分を含んでなる
ことを特徴とする転写具。
【請求項４】
前記ゴム成分が、少なくとも、ＩＩＲ（ブチルゴム）、ＩＲ（イソプレンゴム）、ＳＢＲ（スチレン−ブタジエンゴム）、ＢＲ（ブタジエンゴム）、ＥＰＭ（エチレンプロピレンゴム）、ＥＰＤＭ（エチレンプロピレン三元共重合体）、ＡＣＭ（アクリルゴム）、ポリイソブチレン、ＮＲ（天然ゴム）のいずれか一種を含む
ことを特徴とする請求項３に記載の転写具。
【請求項５】
転写テープ上の塗膜や転写マーク等の転写膜を紙面等に転写するための転写具であって、
少なくとも、片手による手持ち操作可能なケースと、このケース内に回転可能に装着されて、転写テープを繰り出し可能に巻装した繰出リールと、前記ケースの先端部分に配設されて、前記繰出リールから繰り出される転写テープを被転写部上に加圧転写する転写ヘッドとを備えてなり、
前記ケースの一部位に、紙面等に転写された転写膜を摩擦除去する転写膜除去材が設けられ、
この転写膜除去材は、樹脂成分およびゴム成分を含んでなるとともに、これら樹脂成分とゴム成分との重量比が２５：７５〜７５：２５の範囲に設定されている
ことを特徴とする転写具。
【請求項６】
前記樹脂成分が熱可塑性エラストマーである
ことを特徴とする請求項５に記載の転写具。
【請求項７】
前記熱可塑性エラストマーが、少なくとも、スチレン系熱可塑性エラストマーおよびオレフィン系エラストマーのいずれか１種を含む
ことを特徴とする請求項６に記載の転写具。
【請求項８】
前記スチレン系熱可塑性エラストマーが、少なくとも、スチレン―ブタジエン―スチレン共重合体、スチレン―イソプレン―スチレン共重合体、スチレン―エチレンブチレン―スチレン共重合体、スチレン―エチレンプロピレン―スチレン共重合体、スチレン―エチレンエチレンプロピレン―スチレン共重合体のいずれか一種を含む
ことを特徴とする請求項７に記載の転写具。
【請求項９】
前記オレフィン系エラストマーが、少なくとも、オレフィン系熱可塑性エラストマー、エチレン−αオレフィン共重合体、プロピレン−αオレフィン共重合体、エチレン−αオレフィン共重合体（メタロセン触媒）、非晶性ポリαオレフィン、高密度ポリエチレン、低密度ポリエチレン、超低密度ポリエチレンおよびポリプロピレンのいずれか一種を含む
ことを特徴とする請求項７記載の転写具。
【請求項１０】
前記ゴム成分が、少なくとも、ブチルゴム、イソプレンゴム、スチレン―ブタジエンゴム、ブタジエンゴム、エチレンプロピレンゴム、エチレンプロピレン三元共重合体、アクリルゴム、ポリイソプレンおよび天然ゴムのいずれか１種を含んでなる
ことを特徴とする請求項５に記載の転写具。
【請求項１１】
前記ゴム成分がコア・シェル構造である
ことを特徴とする請求項５に記載の転写具。
【請求項１２】
片手による手持ち操作可能な前記ケースと、
このケース内に回転可能に装着されて、転写テープを繰り出し可能に巻装した前記繰出リールと、
前記ケース内に回転可能に装着されて、使用後の転写テープを巻き取り回収する巻取リールと、
この巻取リールおよび前記操出リールを相互に連動回転させる連動機構と、
前記ケースの先端部分に配設されて、前記繰出リールから繰り出される転写テープを被転写部上に加圧転写する前記転写ヘッドと、
前記繰出リールおよび巻取リールにおける転写テープの繰出速度および巻取速度を同期させるクラッチ機構とを備えてなり、
前記ケースの一部位に、紙面等に転写された転写膜を摩擦除去する前記転写膜除去材が設けられている
ことを特徴とする請求項１、２、３および５のいずれか一つに記載の転写具。
【請求項１３】
前記転写膜除去材が、前記ケースの先端部から突設された前記転写ヘッドに一体的に設けられている
ことを特徴とする請求項１２に記載の転写具。
【請求項１４】
前記転写膜除去材が、前記転写ヘッドの構成材料からなるとともに、転写ヘッドと一体成形されている
ことを特徴とする請求項１３に記載の転写具。
【請求項１５】
前記転写膜除去材が、前記ケースの先端部表面に一体的に設けられている
ことを特徴とする請求項１２に記載の転写具。
【請求項１６】
前記転写膜除去材が、前記ケースの外部に臨んで設けられた転写テープを巻き戻すための巻戻しボタンの形態とされている
ことを特徴とする請求項１２に記載の転写具。
【請求項１７】
前記転写膜除去材が、前記ケースの一部を構成するケース構成部材の形態とされている
ことを特徴とする請求項１２に記載の転写具。
【請求項１８】
前記ケース構成部材が、前記ケースに対して取外し可能とされている
ことを特徴とする請求項１７に記載の転写具。
【請求項１９】
前記ケース構成部材が、前記ケースに一体的に固設されている
ことを特徴とする請求項１７に記載の転写具。
【請求項２０】
前記転写膜除去材が、前記ケースの表面に貼着される転写膜除去シールの形態とされている
ことを特徴とする請求項１２に記載の転写具。
【請求項２１】
前記転写ヘッドを被覆保護する保護キャップを備えるとともに、前記ケースの一部に前記保護キャップを着脱可能に保持するキャップ保持部が配設されてなり、
このキャップ保持部が前記転写膜除去材で構成されている
ことを特徴とする請求項１２に記載の転写具。
【請求項２２】
前記転写膜除去材が、前記転写ヘッドを被覆保護する保護キャップの形態とされている
ことを特徴とする請求項１２に記載の転写具。
【請求項２３】
前記ケースの一部位に、前記転写膜除去材が着脱可能に設けられている
ことを特徴とする請求項１２に記載の転写具。
【請求項２４】
前記転写膜除去材は、板状の直線定規の形態とされている
ことを特徴とする請求項２３に記載の転写具。
【請求項２５】
前記転写膜除去材は、板状の保持クリップの形態とされている
ことを特徴とする請求項２３に記載の転写具。
【請求項２６】
前記転写膜除去材は、前記ケースを起立保持するケーススタンドの形態とされている
ことを特徴とする請求項２３に記載の転写具。
【請求項２７】
前記転写膜除去材は、その一部に前記転写膜の細部を摩擦除去可能な形状寸法の角部を有する外観形状を備えている
ことを特徴とする請求項１２に記載の転写具。
【請求項２８】
前記転写膜除去材は、１回の摩擦除去操作が紙面等に転写された前記転写膜に対して１０往復としたとき、少なくとも２００回の摩擦除去操作に対して実質的に摩耗のない材料から構成されている
ことを特徴とする請求項１２に記載の転写具。
【手続補正２】
【補正対象書類名】明細書
【補正対象項目名】０００９
【補正方法】変更
【補正の内容】
【０００９】
この目的を達成するため、本発明の転写具は、転写テープ上の塗膜や転写マーク等の転写膜を紙面等に転写するための転写具であって、少なくとも、片手による手持ち操作可能なケースと、このケース内に回転可能に装着されて、転写テープを繰り出し可能に巻装した繰出リールと、上記ケースの先端部分に配設されて、上記繰出リールから繰り出される転写テープを被転写部上に加圧転写する転写ヘッドとを備えてなり、上記ケースの一部位に、紙面等に転写された転写膜を摩擦除去する転写膜除去材が設けられていることを特徴とする。
【手続補正３】
【補正対象書類名】明細書
【補正対象項目名】００１０
【補正方法】変更
【補正の内容】
【００１０】
好適な実施態様として、転写テープ上の塗膜や転写マーク等の転写膜を紙面等に転写するためのものであって、片手による手持ち操作可能な上記ケースと、このケース内に回転可能に装着されて、転写テープを繰り出し可能に巻装した上記繰出リールと、上記ケース内に回転可能に装着されて、使用後の転写テープを巻き取り回収する巻取リールと、この巻取リールおよび上記操出リールを相互に連動回転させる連動機構と、上記ケースの先端部分に配設されて、上記繰出リールから繰り出される転写テープを被転写部上に加圧転写する転写ヘッドと、上記繰出リールおよび巻取リールにおける転写テープの繰出速度および巻取速度を同期させるクラッチ機構とを備えてなり、上記ケースの一部位に、紙面等に転写された転写膜を摩擦除去する上記転写膜除去材が設けられていることを特徴とする。
【手続補正４】
【補正対象書類名】明細書
【補正対象項目名】００１１
【補正方法】変更
【補正の内容】
【００１１】
また、上記転写膜除去材は、その一部に上記転写膜の細部を摩擦除去可能な形状寸法の角部を有する外観形状を備えている。
【手続補正５】
【補正対象書類名】明細書
【補正対象項目名】００１２
【補正方法】削除
【補正の内容】
【手続補正６】
【補正対象書類名】明細書
【補正対象項目名】００１８
【補正方法】変更
【補正の内容】
【００１８】
また、上記被転写部上に一旦転写された転写膜を除去したい場合には、上記ケースの一部位に設けられた転写膜除去材を用いて、上記転写膜を摩擦除去する。
【手続補正７】
【補正対象書類名】明細書
【補正対象項目名】００１９
【補正方法】変更
【補正の内容】
【００１９】
本発明の転写具によれば、ケースの一部位に、紙面等に転写された転写膜を摩擦除去する転写膜除去材が設けられているから、この転写具に常備された専用の転写膜除去材により、被転写部上に一旦転写された転写膜を摩擦除去することができ、落下等して遺失してしまう危険も少ない。
【手続補正８】
【補正対象書類名】明細書
【補正対象項目名】００２３
【補正方法】変更
【補正の内容】
【００２３】
さらに、上記転写膜除去材は、磨耗の少ない材料から構成されているから、上記本発明の転写具のケースの一部位に設けられる場合に、転写具自体の寿命に比較して経時的な磨耗がほとんどなく、転写膜除去材の磨耗変形により転写具の外観を損なうこともない。
【手続補正９】
【補正対象書類名】明細書
【補正対象項目名】００２６
【補正方法】変更
【補正の内容】
【００２６】
上記字消し具１は、転写テープを含めてすべての構成部品が消耗品とされてなる使い切りタイプの構造を備え、その基本構造は従来周知のものである。すなわち、字消し具１は、具体的には図示しないが、図示のような外観形状を呈するケース２内に、転写テープ３を繰り出し可能に巻装した繰出リール、使用後の転写テープを巻き取り回収する巻取リール、これら両リールを相互に連動回転させる連動機構、転写テープ３を被転写部上に加圧転写する転写ヘッド４および上記両リールにおける転写テープ３の繰出速度および巻取速度を同期させるクラッチ機構などを主要部として備えてなり、また、図示されるように、ケース２の一部位に、紙面等に転写された転写膜を摩擦除去する転写膜除去材５が設けられている。
【手続補正１０】
【補正対象書類名】明細書
【補正対象項目名】００９３
【補正方法】変更
【補正の内容】
【００９３】
すなわち、本実施形態の転写具６１は、実施形態４と同様のリフィルタイプとされており、具体的には、図示の細長い外観形状を呈するケース６２内に、転写テープ３を繰り出し可能に巻装した繰出リール、使用後の転写テープを巻き取り回収する巻取リール、これら両リールを相互に連動回転させる連動機構、転写テープ３を被転写部上に加圧転写する転写ヘッド４および上記両リールにおける転写テープ３の繰出速度および巻取速度を同期させるクラッチ機構などを備えるテープカートリッジが取外し交換可能に装着されている。また、ケース２の一部位（図示の場合は後端部）には、紙面等に転写された転写膜を摩擦除去する転写膜除去材６５が設けられている。
【手続補正１１】
【補正対象書類名】明細書
【補正対象項目名】０１０３
【補正方法】変更
【補正の内容】
【０１０３】
すなわち、本実施形態の転写膜除去材８５は、ケース２の一部位に取外し可能に設けられてなる直線定規の形態とされている。具体的には、この転写膜除去材８５は、その正面形状が図８（ａ）に示すような細長いほぼ矩形状とされるとともに、その両側縁部８５ａ、８５ｂが図８（ｂ）に示すような傾斜断面を有する平板状とされてなり、片側縁部８５ａには計測目盛８６が設けられている。
【手続補正１２】
【補正対象書類名】明細書
【補正対象項目名】０１０９
【補正方法】変更
【補正の内容】
【０１０９】
すなわち、本実施形態の転写膜除去材９５は、ケース２の一部位に取外し可能に設けられてなる板状の保持クリップの形態とされている。具体的には、この転写膜除去材９５は、図９（ｂ）に示すようなほぼコ字形状に成形された薄肉の板状体とされ、弾性変形可能な平行な二つの挟持片９６ａ、９６ｂは、一方９６ｂが他方９６ａよりも長く設定されるとともに、これら両者の先端部がほぼ半円弧形状に形成されている。
【手続補正１３】
【補正対象書類名】明細書
【補正対象項目名】０１１５
【補正方法】変更
【補正の内容】
【０１１５】
すなわち、本実施形態の転写膜除去材１０５は、ケース２の一部位に取外し可能に設けられてなるケーススタンドの形態とされている。具体的には、この転写膜除去材１０５は、図１０（ｂ）に示すようなほぼコ字形状に成形された厚肉の板状体とされ、基台部１０６の両側縁から二つの挟持片１０７ａ、１０７ｂが平行に起立して形成されるとともに、これら両挟持片１０７ａ、１０７ｂは、その上端部が上向き円弧形状に形成された同一形状とされている。